(57)【特許請求の範囲】
【請求項１】
遊技機に固定されるベース部材と、
該ベース部材に組み付けられ、該ベース部材との間に所定の収納空間を形成するカバー部材と、
該ベース部材と該カバー部材とを重合させた状態で該両部材に取り付けられ、該両部材を取り外し不能に固定する固定部材と、
を備え、該固定部材を前記両部材に取り付けることにより、遊技機を制御する電子部品が実装された回路基板を、前記収納空間に封止する遊技機の基板ケースにおいて、
前記固定部材は樹脂材料から形成され、その少なくとも前記カバー部材側に露出する部分には、金属材料からなる保護部材が装着されており、
前記固定部材は、軸状の本体の一端に逆止片を、他端にフランジ状の係止部を有し、前記ベース部材に前記カバー部材を組み付けた際にこれらを連通する連通孔に一方向に挿入され、該係止部と該逆止片により前記ベース部材と前記カバー部材とを互いに固定し、
前記連通孔は、前記カバー部材に設けられた円孔と、前記ベース部材に設けられた円孔とが同軸状に連通することにより形成され、
前記固定部材は、ほぼ円柱状をなし、前記連通孔に対して自軸周りに回転可能に遊嵌されたことを特徴とする遊技機の基板ケース。
【請求項２】
遊技機に固定されるベース部材と、
該ベース部材に組み付けられ、該ベース部材との間に所定の収納空間を形成するカバー部材と、
該ベース部材と該カバー部材とを重合させた状態で該両部材に取り付けられ、該両部材を取り外し不能に固定する固定部材と、
を備え、該固定部材を前記両部材に取り付けることにより、遊技機を制御する電子部品が実装された回路基板を、前記収納空間に封止する遊技機の基板ケースにおいて、
前記固定部材は樹脂材料から形成され、その少なくとも前記カバー部材側に露出する部分には、金属材料からなる保護部材が装着されており、
前記固定部材は、軸状の本体の一端に逆止片及び前記本体の軸線に沿ったスリットを備え、他端にフランジ状の係止部を有し、前記ベース部材に前記カバー部材を組み付けた際にこれらを連通する連通孔に一方向に挿入され、該係止部と該逆止片により前記ベース部材と前記カバー部材とを互いに固定し、
前記固定部材における前記一端は、前記スリットにより、前記スリットの幅方向に弾性変形可能であり、
前記逆止片は、前記一端の弾性変形により前記連通孔に導入可能となるとともに、前記連通孔を貫通すると、前記一端の弾性復帰により外側に広がり、逆方向に引き抜くことができなくなる
ことを特徴とする遊技機の基板ケース。
【発明の詳細な説明】
【０００１】
【発明の属する技術分野】
本発明は、遊技機を制御する電子部品が実装された回路基板を収納するための基板ケースに関する。
【０００２】
【従来の技術】
従来、パチンコ機等の遊技機においては、その盤面の裏面側に、遊技の制御を行なう回路基板を収容した基板ケースが設置されている。例えばパチンコ機の場合、回路基板には遊技制御を行なう主制御装置や球払出装置を制御する払出制御装置等の制御回路をなすＩＣや抵抗等の各種電子部品が実装されており、基板ケースはこの回路基板を外部から保護する役割をしている。
【０００３】
しかしながら、このようなパチンコ機が設置されたパチンコホールにて、主制御装置が大当たり等を判定するためのプログラムが記憶されたＲＯＭが不正に交換され、パチンコホールの運営者が多大な損害を被るといった問題が生じていた。
【０００４】
このため、近年ではこうした不正行為を防止するために、この基板ケースに封止部を設け、不正に開封されることを防止する技術が採用されている。具体的には、基板ケースのベース部材（パチンコ機に取り付けられる側の部材）に各種電子部品が実装された基板をボルト締めした後、カバー部材にて覆い、封止部にて封止する構造を採っている。尚、パチンコ機の基板ケースは、製造後にこの封止部を用いて一旦封止されるが、警察等の機関によってその開封を要求されることがあるため、複数回封止可能となっている。
【０００５】
この封止部の具体的構成としては、例えば、ベース部材及びカバー部材の周端縁に夫々複数個のボスを設け、ベース部材をカバー部材で覆うと両者のボスの位置が整合する構成が採用されている。そして、このように位置が整合したボスのいずれかがワンウェイねじ等で固定されることにより、ベース部材とカバー部材とが固定され、上記回路基板がこれらベース部材とカバー部材とにより形成される収納空間に封止される。この場合、基板ケースの開封は、ワンウェイねじ等が固定されたボスを基板ケースから切断することにより行われ、再度封止する際には、不使用のボスのいずれかが再度ワンウェイねじ等で固定される。
【０００６】
【発明が解決しようとする課題】
ところで、上記ワンウェイねじは、そのねじ頭に特殊な加工が施されており、通常の工具を用いて締結方向に回すことができても、その逆方向（緩める方向）に回してリバースすることはできないようになっている。このため、このワンウェイねじを上述のように整合したボスに対して一方向に螺入することにより、ベース部材とカバー部材とを離脱困難に固定できる。
【０００７】
しかし近年、特殊な工具により上記ワンウェイねじをリバースさせて基板ケースの封止を解除し、上述したＲＯＭを不正に交換する者が現れるようになった。
そこで、このようなワンウェイねじではなく、一端に逆止片を他端にフランジ状の係止部を有する固定部材を採用し、この固定部材を上述のように整合したボスに設けられた孔に対して一方向に挿入することにより、ベース部材とカバー部材とを離脱困難に固定する構成も採用されている。
【０００８】
そして、このような嵌め込み式の固定部材を採用することにより、特殊な工具を用いてもこれを取り外すことができず、第三者の不正行為を効果的に防止できるようになった。しかも、固定部材を孔に挿入するのみでよいため、その取付作業を簡易かつ迅速に行える。
【０００９】
しかしながら、この固定部材は、その係止部や逆止片の構造が比較的複雑であるため、金属材料により製造しようとするとコストがかかる等の理由から、通常は樹脂材を一体成形して形成される。このため、この固定部材がドリル等の鋭利な工具等で破壊されて基板ケースが開封されると上述した不正行為を容易に行うことができるという問題があった。そしてさらに、このように固定部材が破壊されて不正ＲＯＭに交換された後に新しい固定部材を差し込まれると、その不正行為の痕跡さえ発見できないという問題があった。
【００１１】
本発明はかかる課題に鑑みなされたものであり、回路基板を実装した基板に対し、不正行為が行われることを有効に防止するための基板ケースの封止構造を提供することを目的とする。
【００１２】
【課題を解決するための手段及び発明の効果】
上記課題に鑑み、請求項１記載の遊技機の基板ケースは、
遊技機に固定されるベース部材と、
該ベース部材に組み付けられ、該ベース部材との間に所定の収納空間を形成するカバー部材と、
該ベース部材と該カバー部材とを重合させた状態で該両部材に取り付けられ、該両部材を取り外し不能に固定する固定部材と、
を備え、該固定部材を前記両部材に取り付けることにより、遊技機を制御する電子部品が実装された回路基板を、前記収納空間に封止する遊技機の基板ケースにおいて、
前記固定部材は樹脂材料から形成され、その少なくとも前記カバー部材側に露出する部分には、金属材料からなる保護部材が装着されており、
前記固定部材は、軸状の本体の一端に逆止片を、他端にフランジ状の係止部を有し、前記ベース部材に前記カバー部材を組み付けた際にこれらを連通する連通孔に一方向に挿入され、該係止部と該逆止片により前記ベース部材と前記カバー部材とを互いに固定し、
前記連通孔は、前記カバー部材に設けられた円孔と、前記ベース部材に設けられた円孔とが同軸状に連通することにより形成され、
前記固定部材は、ほぼ円柱状をなし、前記連通孔に対して自軸周りに回転可能に遊嵌されたことを特徴とする。
【００１３】
かかる基板ケースによれば、製造コスト等の観点より固定部材が樹脂材料から形成されているが、この固定部材の露出部分が金属材料からなる保護部材により保護されているため、鋭利な工具を用いてもこれを破壊することは極めて困難である。このため、第三者が固定部材を破壊することにより基板ケースの封止状態を解除することは極めて困難となり、上述のような不正行為を有効に防止することができる。
【００１４】
また、上記固定部材としては、軸状の本体の一端に逆止片を、他端にフランジ状の係止部を有し、ベース部材にカバー部材を組み付けた際にこれらを連通する連通孔に一方向に挿入され、これら係止部と逆止片によりベース部材とカバー部材とを互いに固定するものが考えられる。
【００１５】
このように、固定部材の一端に、所定の孔に対して一方向にのみ挿入可能な逆止片が設けられているため、固定部材がこの一端から連通孔内に完全に挿入されると、逆止片が係止されて固定部材の逆方向の移動を阻止する。このため、固体部材を引き抜くことは不可能となる。また、このとき同時に係止片も係止されるため、固定部材の挿入方向の移動も阻止され、固定部材を連通孔から押し出すことも不可能となる。つまり、固定部材が一旦連通孔に挿入され固定されるとこれを取り除くことはできない。また、固定部材の取付作業はこれを連通孔に押し込むだけでよく、簡易かつ迅速に行われる。
【００１６】
またこの場合、上記保護部材として、固定部材の係止部にこれと同形状の金属片を単に接着することも考えられるが、これでは当該金属片を容易に剥がされる虞がある。
そこで、保護部材として固定部材に螺着されるものを用いるとよい。かかる構成によれば、保護部材が固定部材に対して強固に固定されるからである。
【００１７】
この場合、保護部材を係止部に螺入されたワンウェイねじの頭部から構成するとさらに好ましい。
このワンウェイねじは、締結方向にのみ回動可能に構成されており、一旦係止部に螺入されると、通常の工具を用いてこれをリバースさせることは不可能となるからである。
【００１８】
ただし、このようなワンウェイねじを固定部材に対して固定する場合には、所定の工具を用いてこれを螺入させる作業を要するため、より簡易かつ迅速に保護部材を固定部材に装着できる構成が望まれる。
そこで、上記係止部を含む固定部材の頭部に予め嵌合用の溝を形成しておき、保護部材としての金属片に突設した嵌合部を、これに圧入嵌合させることにより固定するようにしてもよい。
【００１９】
この圧入工程は自動化することもでき、固定部材に対して保護部材を簡易かつ迅速に装着することができる。
しかしながら、上記のように保護部材をワンウェイねじにより構成したとしても、特殊な工具を用いることによりこれをリバースさせることが可能となる場合がある。また、上記のように保護部材として金属片を圧入嵌合したとしても、例えば硬度の高い工具等を使用してこれを破壊することが可能となる場合がある。
【００２０】
そこで、請求項１記載の基板ケースでは、上記連通孔が、カバー部材に設けられた円孔とベース部材に設けられた円孔とが同軸状に連通することにより形成される一方、上記固定部材がほぼ円柱状をなし、当該固定部材が連通孔に対して自軸周りに回転可能に遊嵌されている。
【００２１】
このため、特殊な工具を用いることによりワンウェイねじをリバースさせようとしても、ワンウェイねじが固定された固定部材自体が自軸周りに回動してしまうため、結局、固定部材に対してワンウェイねじをリバース方向に回動させることができず、これを取り除くことができない。また、硬度の高い工具を用いることにより、圧入嵌合された金属片をえぐり取ろうとしても、金属片が嵌入された固定部材自体が自軸周りに回動してしまうため、金属片をえぐることができない。
この結果、第三者が保護部材を除去する行為を有効に防止することができる。
【００２２】
請求項２記載の遊技機の基板ケースは、
遊技機に固定されるベース部材と、
該ベース部材に組み付けられ、該ベース部材との間に所定の収納空間を形成するカバー部材と、
該ベース部材と該カバー部材とを重合させた状態で該両部材に取り付けられ、該両部材を取り外し不能に固定する固定部材と、
を備え、該固定部材を前記両部材に取り付けることにより、遊技機を制御する電子部品が実装された回路基板を、前記収納空間に封止する遊技機の基板ケースにおいて、
前記固定部材は樹脂材料から形成され、その少なくとも前記カバー部材側に露出する部分には、金属材料からなる保護部材が装着されており、
前記固定部材は、軸状の本体の一端に逆止片及び前記本体の軸線に沿ったスリットを備え、他端にフランジ状の係止部を有し、前記ベース部材に前記カバー部材を組み付けた際にこれらを連通する連通孔に一方向に挿入され、該係止部と該逆止片により前記ベース部材と前記カバー部材とを互いに固定し、
前記固定部材における前記一端は、前記スリットにより、前記スリットの幅方向に弾性変形可能であり、
前記逆止片は、前記一端の弾性変形により前記連通孔に導入可能となるとともに、前記連通孔を貫通すると、前記一端の弾性復帰により外側に広がり、逆方向に引き抜くことができなくなる
ことを特徴とする。
【００４４】
【発明の実施の形態】
以下、本発明の好適な実施例を図面に基づいて説明する。図１は本実施例にかかる遊技機の基板ケース（以下、単に「基板ケース」という）の斜視図であり、図２は当該基板ケースの分解斜視図である。尚、当該基板ケースは、図示しないパチンコ機の盤面の裏側略中央に取り付けられ、画像制御基板や賞球制御基板等とコネクタを介して結線されるものである。
【００４５】
図１に示すように、基板ケース１は、パチンコ機に直接取り付けられる略長方形状のベース部材１０と、ベース部材１０に組み付けられる長方形状のカバー部材２０とを備えている。これらベース部材１０及びカバー部材２０は、共に透明の合成樹脂から形成されている。
【００４６】
まず、カバー部材２０について説明する。
図２に示すように、カバー部材２０は無蓋箱状の本体２１を有し、その内部には、遊技機を制御する電子部品が実装された回路基板６１が螺合固定される。そして、この状態からカバー部材２０をベース部材１０に重合させた状態で、後に詳述する固定部材５０によりこれらを固定することにより、カバー部材２０とベース部材１０との間に形成される収納空間に回路基板６１が封止されるように構成されている。
【００４７】
より詳しくは、カバー部材２０は上下対称かつ左右対称に構成されており、図３（ａ）にその背面図を示すように、本体２１の左右側面に上下方向に等間隔に設けられ外方に延出する複数の補強リブ２２を介して、本体２１の側面に平行に延びる平板状の透明な合成樹脂からなる側壁部材２３が設けられている。そして、隣接する補強リブ２２の間に位置する側壁部材２３の内面からは、本体２１に向かって支持リブ２４が延設されており、その先端に円筒状の筒状部材２５（第１筒状部材）が連設されている。この筒状部材２５は、内部にベース部材１０側に小径化する段差部を有し（後述する）、カバー部材２０において左右対称に４個づつ計８個設けられている。
【００４８】
また、本体２１の上下側面からは、外方に延びるフランジ部２６がそれぞれ設けられ、このフランジ部２６の先端縁には、ベース部材１０との重合方向に延出した側壁部２７が連設されている。そして、この側壁部２７の外面の左右方向に等間隔に設けられ外方に延出する複数の補強リブ２８を介して、本体２１の側面に平行に延びる平板状のガイド部材２９が設けられている。尚、フランジ部２６には、回路基板６１に設けられたコネクタ群を外部に露出させるための複数のコネクタ窓２６ａが形成されている。
【００４９】
そして、側壁部２７とガイド部材２９との間には、互いに隣接する一方の補強リブ２８の側壁部２７側から当該側壁部２７に沿って延びる４つの係合部３１が突設され、隣接する他方の補強リブ２８とこの係合部３１との間に、後述するベース部材１０側の係合部を挿入してスライドさせるための鈎状の開口部３２が形成されている。尚、この係合部３１は、隣接する補強リブ２８に対し一つおきに設けられ、係合部３１が設けられてない補強リブ２８間は、板状の架橋部材３３により閉口されている。
【００５０】
さらに、上述したフランジ部２６は本体２１の左右にも延出し、上記補強リブ２２のうち上下の両端に配置されたものにそれぞれ連設してフランジ部３４を構成する。そして、図２に示すように、この左右に延出した上下のフランジ部３４の部分をそれぞれ架橋する態様で一対の被覆部材３５が装着されている。
【００５１】
これら被覆部材３５は、ベース部材１０側に開口する無蓋箱状に形成され、上記フランジ部３４に対向して立設された二つの支持部３６に挟持される態様で、当該フランジ部３４に螺合固定される。そして、その各々が上記４つの筒状部材２５を被覆してこれらを外部から遮蔽している。
【００５２】
また、図５に図１のＡ−Ａ断面を示すように、被覆部材３５の上壁部３５ａにおいて４つの筒状部材２５に対応する位置には、これら筒状部材２５と同様の形状を有する４つの筒状部３５ｂが重合方向に延設され、これら筒状部３５ｂの孔と対応する筒状部材２５の孔とが連通するように構成されている。そして、固定部材５０が、筒状部材２５の下端に設けられた段差部２５ａにより支持され、筒状部３５ｂと筒状部材２５との間に形成される待機空間に保持されるようになっている。尚、この構成の詳細については後述する。
【００５３】
さらに、被覆部材３５の上壁部３５ａにおいて各固定部材５０に対向する位置には、所定の棒状部材を挿通可能な小孔３５ｃが穿設されており、この小孔３５ｃに棒状部材を挿通して、いずれかの固定部材５０をベース部材１０側へ押圧することができるようになっている。
【００５４】
また、図３（ａ）に示すように、カバー部材２０の本体２１の隅部には、４つのボス３７が設けられており、図２に示すように、このボス３７に回路基板６１が螺合固定される。この際、回路基板６１は、図示しない電子部品群が設けられた側の面がカバー部材２０内を向くように固定される。
【００５５】
尚、回路基板６１をカバー部材２０のボス３７に固定する際には、回路基板６１とカバー部材２０との間に上下一対のコネクタカバー６２が介装される。このコネクタカバー６２は、回路基板６１上に設けられた図示しないコネクタ群の各コネクタの形状に対応した穴６３が形成された枠状部材であり、回路基板６１をカバー部材２０に固定すると、コネクタ群が穴６３及びコネクタ窓２６ａを介してカバー部材２０から露出されるようになっている。
【００５６】
次に、ベース部材１０について説明する。
ベース部材１０は上下対称かつ左右対称に構成されており、図３（ｂ）にその背面図を示すように、無蓋箱状の本体１１の左右側面に上下方向に等間隔に設けられ外方に延出する複数の補強リブ１２を介して、本体１１の側面に平行に延びる平板状の側壁部材１３が設けられいる。そして、隣接する補強リブ１２間の空間に、本体１１の側面から延設された支持リブ１４と側壁部材１３の内面から延設された支持リブ１６とにより筒状部材（第２筒状部材）１５が支持されている。この筒状部材１５は、上記筒状部材２５と同様の形状を有し、ベース部材１０において左右対称に４個づつ計８個設けられている。そして、さらにこれら筒状部材１５の開口部には、図２及び図５（ａ）に示すように、逆止リング１７が同軸状に装着されている。この逆止リング１７は、固定部材５０の後述する逆止片を係止するためのものであり、その外径が筒状部材１５の内径に一致し、内径が筒状部材２５の小径部２５ｂの内径にほぼ一致する筒状体からなる。そして、その一端に設けられたフランジ部１７ａが筒状部材１５の開口部に係止されるようになっている。逆止リング１７は、そのフランジ部１７ａが筒状部材１５に接着されて固定される。そして、カバー部材２０が重合した際には、図５に示すように、筒状部材２５と筒状部材１５とが同軸状に配置されるように構成されている。
【００５７】
また、図６（ａ）に図１のＢ−Ｂ断面図を、図６（ｂ）にその分解図を示すように、本体１１の上下の側壁部１１ａからは、カバー部材２０の４つの係合部３１にそれぞれ係合可能な４つの鈎状の係合部１８がカバー部材２０側に向かって突設されている（図２及び図３（ｂ）参照）。この係合部１８は、側壁部１１ａに沿って左右に延びると共にカバー部材２０側に延出した突出部１８ａと、この突出部１８ａの左右方向の一端から内方に延びると共にカバー部材２０側に延出した突出部１８ｂの先端に、これら両突出部の端縁を二辺とする長方形状の小片部１８ｃが連設された形状を有する。この小片部１８ｃは、上記カバー部材２０側の開口部３２に挿通可能な大きさに形成されており、当該係合部１８がカバー部材２０側の係合部３１に沿ってスライドすると、その突出部１８ｂが係合部３１の端縁に当接して係止されるようになっている。
【００５８】
また、本体１１の側壁部１１ａよりも内側の位置には、４つの係合部１８と対向するように、左右方向に延びる防護リブ１９がカバー部材２０側に突設されており、図６（ａ）のようにカバー部材２０がベース部材１０に組み付けられた際には、カバー部材２０の側壁部２７が、係合部１８と防護リブ１９とにより挟持されつつ支持されるようになっている。そして更に、このガイド部材２９とカバー側壁部２７から延設された係合部３１とにより、カバー部材２０の係合部１８を挟持する態様で、カバー部材２０とベース部材１０とが固定されている。このため、第三者が外方から側壁部２７を内方に押し込んでカバー部材２０をベース部材１０から脱離させる等の不正行為が有効に防止される。
【００５９】
次に、固定部材５０について説明する。
固定部材５０は、図４に示すように、下方にやや縮径した円柱状の本体５１の上端部にフランジ状の係止部５２が形成され、その中央から下端にかけて軸線に沿った所定幅のスリット５３が形成されている。このため、固定部材５０の下部はスリット５３の幅方向に所定量弾性変形できるようになっている。また、本体５１の下端には、外径方向に突出した逆止片５４が設けられている。この逆止片５４は、固定部材５０の下端側から上方に向かってその断面が大きくなるテーパ状に形成され、その下端部が挿入部５４ａを、上端部が係止部５４ｂをそれぞれ形成している。従って、固定部材５０が所定の孔に挿入される際には、挿入部５４ａがテーパ状になっていることから孔入口にスムーズに導入され、さらに固定部材５０がその下部で撓みながら孔内にスムーズに挿入される。そして、逆止片５４が孔を貫通すると、固定部材５０の下端部が弾性復帰して係止部５４ｂが係止されるため、固定部材５０を挿入方向とは逆方向に引き抜くことは不可能となる。
【００６０】
また、固定部材５０の上端部には、ワッシャ５５を介してワンウェイねじ５６が螺入されている。このワッシャ５５には、その外径が係止部５２の上端面の外径と同一のものが使用されているため、固定部材５０の係止部５２の表面は、金属部材により覆われるようになっている。尚、このワンウェイねじ５６は、周知のように、締結方向にのみ回動可能に構成されたねじであり、一旦係止部５２に螺入されると、工具を用いてこれをリバースさせることは極めて困難となる。
【００６１】
そして、この固定部材５０は、図５において最も左側の固定部材５０のように、その逆止片５４が筒状部材２５の段差部２５ａに支持され、係止部５２が筒状部３５ｂの内壁に支持される態様で、被覆部材３５と筒状部材２５との間に形成される待機空間に一時的に保持される。尚、カバー部材２０に配置された固定部材５０の全てがこの待機空間に保持されている状態においては、カバー部材２０はベース部材１０に対して固定されないため、そのスライド方向に動作させることが可能である。
【００６２】
次に、基板ケース１の封止方法について説明する。
基板ケース１の封止の際には、まず、上述のように回路基板６１が組み付けられたカバー部材２０を、ベース部材１０に重合させる。この際、カバー部材２０の開口部３２にベース部材１０の小片部１８ｃを突き合わせてその係合部１８を挿入する。そして、カバー部材２０の係合部３１とベース部材１０の係合部１８とを係合させる方向に、カバー部材２０をベース部材１０に対してスライドさせる。
【００６３】
そして、係合部３１の先端がベース部材１０の係合部１８に係止されることにより重合状態となり、この状態から所定の棒状部材をカバー部材２０の小孔３５ｃに挿通し、上述した待機空間にて待機状態にある固定部材５０のいずれかを押圧して、これを筒状部材２５及び筒状部材１５により形成される連通孔５８内に挿入する。すると、図５において左から２番目の固定部材５０のように、固定部材５０が筒状部材２５の小径部２５ｂと逆止リング１７内部により形成される連通孔５８内に挿通される。このとき、固定部材５０の逆止片５４が逆止リング１７の端面に、係止部５２が筒状部材２５の段差部２５ａにそれぞれ係止されることにより、固定部材５０がベース部材１０とカバー部材２０とを挟持する態様でこれらを互いに固定して基板ケース１を封止する。このとき、固定部材５０は連通孔５８に対して遊嵌されているため、自軸周りに回動可能となっている。
【００６４】
尚、この封止作業においては、左右に４対（計８個）配設された固定部材５０のうち、左右対称に配置された一対（２個）が使用されるため、本実施例の場合、パチンコ機の出荷時を含めて計４回の封止が可能となっている。
また、封止状態を解除する際には、このとき用いられた固定部材５０を保持する筒状部材２５の支持リブ２４及び筒状部材１５の支持リブ１４、１６をニッパ等の工具により切断して取り除き、上述した操作を逆に行なえば、カバー部材２０をベース部材１０から離脱させることができる。
【００６５】
そして、このように封止された基板ケース１は、電磁波シールド用（不正行為防止用）の金属板７０を介してパチンコ機の盤面の裏側に装着される。
以上のように、本実施例の基板ケース１においては、固定部材５０の係止部の露出部分が金属材料からなるワンウェイねじ５６により保護されているため、これを破壊することは極めて困難である。また、固定部材５０が筒状部材２５及び筒状部材１５により形成される連通孔５８に対して自軸周りに回転可能に遊嵌されているため、特殊な工具を用いることによりワンウェイねじ５６をリバースさせようとしても、ワンウェイねじ５６が固定された固定部材５０自体が自軸周りに回動してしまうため、結局、固定部材５０に対してワンウェイねじ５６をリバース方向に回動させることができず、これを取り除くことができない。
【００６６】
このため、第三者が固定部材５０を破壊することにより基板ケース１の封止状態を解除することは極めて困難となり、その不正行為を有効に防止することができる。
カバー部材２０及びベース部材１０が透明な樹脂材料から形成され、筒状部材１５及び筒状部材２５が、共に外側に設けられた側壁部材から内方（収納空間の方向）に向かって延設された支持リブ２４、１６に連設されているため、当該支持リブが不正行為により精巧に切断された後、巧妙に接着剤等で修復された場合にも、側壁部材の側方から支持リブ２４又は１６の変化を観察することにより、これを容易に発見することができる。
【００６７】
以上、本発明の実施例について説明したが、本発明の実施の形態は、上記実施例に何ら限定されることなく、本発明の技術的範囲に属する限り種々の形態をとり得ることはいうまでもない。
例えば、上記実施例では、固定部材５０の頭部にワンウェイねじ５６が取り付けられているが、ワンウェイねじ５６の代わりに単なる金属板を採用し、これを固定部材５０の係止部の表面に接着してもよい。或いは、係止部を含む固定部材５０の頭部に予め嵌合用の溝を形成しておき、金属片に突設した嵌合部を、これに圧入嵌合させる構成としてもよい。
【図面の簡単な説明】
【図１】  本発明の実施例に係る遊技機の基板ケースの斜視図である。
【図２】  実施例の基板ケースの分解斜視図である。
【図３】  実施例の基板ケースを構成するカバー部材及びベース部材の背面図である。
【図４】  実施例の固定部材を表す説明図である。
【図５】  基板ケースの封止構造を表す説明図である。
【図６】  カバー部材とベース部材との組み付け構造を表す説明図である。
【符号の説明】
１・・・基板ケース、  １０・・・ベース部材、  １２・・・補強リブ、
１３・・・側壁部材、  １４，１６・・・支持リブ、  １５・・・筒状部材、
２０・・・カバー部材、  ２２・・・補強リブ、  ２３・・・側壁部材、
２４・・・支持リブ、  ２５・・・筒状部材、  ３５・・・被覆部材、
３５ｃ・・・小孔、  ５０・・・固定部材、  ５６・・・ワンウェイねじ
【図１】
0004696349.tif 000002
【図２】
0004696349.tif 000003
【図３】
0004696349.tif 000004
【図４】
0004696349.tif 000005
【図５】
0004696349.tif 000006
【図６】
0004696349.tif 000007